(57)【要約】      （修正有）【課題】担体内に注入組成物を含有するペット製品を提供する。【解決手段】ペット用製品であって、その形状を規定する外殻２１と、その外殻２１内に封入された充填材料２２とを有する製品を提供する。ペットに関連する注入組成物が、そのための担体内に収容される。ゼオライトモレキュラーシーブ２３の形態であるこの担体は、圧縮自在な充填材料２２内の注入組成物の放出をもたらす。【選択図】図２
2018139585.tif 000002
【特許請求の範囲】
【請求項１】
その形状を規定する外殻と、前記外殻内に封入された充填材料とを含むペット用製品であって、
ゼオライトモレキュラーシーブ内にペットに関連する注入組成物を含み、
前記ゼオライトモレキュラーシーブが、前記充填材料内の前記注入組成物の放出をもたらす
ことを特徴とする、ペット用製品。
【請求項２】
前記ゼオライトモレキュラーシーブが、親水性モレキュラーシーブおよび疎水性モレキュラーシーブからなる群から選択される材料を含む、請求項１に記載のペット用製品。
【請求項３】
前記ゼオライトモレキュラーシーブが微粉化され、その後すぐにペレット化されて、前記充填材料に導入される、請求項１に記載のペット用製品。
【請求項４】
前記充填材料に導入される前に、前記ペレット化されたモレキュラーシーブが、前記注入組成物の中に浸漬される、請求項３に記載のペット用製品。
【請求項５】
前記注入組成物が、活性成分およびキャリアオイルを含む、請求項１に記載のペット用製品。
【請求項６】
前記活性成分が、動物誘引剤、沈静化剤、昆虫忌避剤、殺虫剤、鎮痛剤、臭気抑制剤、抗真菌剤および動物忌避剤からなる群から選択される成分を含む、請求項５に記載のペット用製品。
【請求項７】
前記キャリアオイルが、ヤシ油、スイートアーモンド油およびホホバ油からなる群から選択される成分を含む、請求項６に記載のペット用製品。
【請求項８】
前記昆虫忌避剤が、ニーム油およびシダーウッド油を含むノミ忌避剤を含む、請求項６に記載のペット用製品。
【請求項９】
前記動物誘引剤および昆虫忌避剤が、キャットニップ油およびキャットニップヒドロゾルからなる群から選択される成分を含む、請求項６に記載のペット用製品。
【請求項１０】
前記沈静化剤および昆虫忌避剤が、ラベンダー油およびゼラニウム油からなる群から選択される成分を含む、請求項６に記載のペット用製品。
【請求項１１】
前記臭気制御剤および抗真菌剤が、ゼラニウム油およびペパーミント油からなる群から選択される成分を含む、請求項６に記載のペット用製品。
【請求項１２】
前記ペット用製品が、ペット用ベッドおよびペット用玩具からなる群から選択される製品である、請求項１に記載のペット用製品。
【発明の詳細な説明】
【技術分野】
【０００１】
本発明は、ペットベッドおよびペット玩具などのペット製品をより良いものとするために、特定の輸液成分を組み込むことを意図したペット製品に関する。これらには、誘引剤、沈静化剤、昆虫忌避剤、鎮痛剤、臭気調節剤および動物忌避剤が含まれる。このような活性成分は、このような製品の洗濯時に徐放および望ましくない散逸の遅延のための適切なゼオライトモレキュラーシーブの隙間内に含有されており、使用可能なライフサイクルが引き延ばされている。
【背景技術】
【０００２】
市場には無数のペット製品であふれている。それらの製品の多くは、その形状及び機能を規定し、そこに含まれる材料を充填する外殻材料によって画定されている。 そのような製品の典型的な例には、ペットベッドおよび噛んでよい玩具（チュートイ）が含まれる。 後者に関しては、マウス等のげっ歯類のぬいぐるみは、典型的には、ネコの関心を高め、適切な刺激を与えるために、キャットニップまたはマタタビの注入組成物を含むであろう。しかし、ペットの所有者がその製品の耐用年数を延ばすために製品を洗濯することを望む場合、キャットニップまたはマタタビの活性成分は急速に消散し、結果として、一旦洗濯した後は、キャットニップの効果は事実上検出されない 。
【先行技術文献】
【特許文献】
【０００３】
【特許文献１】米国特許出願番号第１５／２３９，３９３号明細書
【発明の概要】
【発明が解決しようとする課題】
【０００４】
したがって、本発明の目的は、先行技術のこのような製品の限界に対処する、担体内に注入組成物を含有するペット製品を提供することである。
本発明のさらなる目的は、担体内に注入組成物を含有するペット製品であって、その注入組成物を完全に散逸させることなく洗濯することができ、その結果として有益な特性を有する製品の提供である。
【課題を解決するための手段】
【０００５】
その形状を規定する外殻と、前記外殻内に封入された充填材料とを含むペット用製品において、本発明の改良は、
担体内のペットに関連する注入組成物を含み、
ゼオライトモレキュラーシーブの形態である前記担体が、前記充填材料内の前記注入組成物の放出をもたらすことである。
【図面の簡単な説明】
【０００６】
【図１】図１は、本発明に従って製造された典型的なペット製品である。
【図２】図２は、図１のペット製品の２−２線に沿った断面図である。
【図３】図３は、本発明に従って製造されたさらに別の典型的なペット製品である。
【図４】図４は、図３のペット製品の４−４に沿った断面図である。
【図５】図５は、本発明の教示を具現化しながらペットベッドなどの製品を製造するために構成された、製品を製造するために有用な装置の側面図である。
【発明を実施するための形態】
【０００７】
本発明の特徴である新規な特徴、構成および作用、さらなる目的および利点は、添付の図面に関連して検討される以下の説明からよりよく理解されるであろう。添付の図面は、実施例による本発明の好ましい実施態様を示している。しかし、図面は説明のためだけのものであり、本発明の範囲の限界を定義することを意図するものではないことが明確に理解されるべきである。本発明を特徴付ける新規性の様々な特徴は、特許請求の範囲に特に記載されている。
【０００８】
上記概要では、本発明のより重要な特徴が概説され、以下の詳細な説明がよりよく理解され、当技術分野への現在の貢献が評価され得るように、概略的に概説した。当然のことながら、以下に記載され、本明細書に添付された特許請求の範囲の追加の主題を形成する、本発明の追加の特徴がある。当業者であれば、本開示の基礎となる概念は、本発明のいくつかの目的を実施するための他の構造、方法、およびシステムの設計の基礎として利用できることを理解するであろう。したがって、特許請求の範囲は、本発明の精神および範囲から逸脱しない限り、そのような同等の構成を含むと見なされることが重要である。
【０００９】
特定の用語およびその派生語は、便宜上および参照のみのために以下の説明で使用することができ、限定的なものではない。例えば、「上」、「下」、「左」および「右」などの語は、特に言及しない限り、参照がなされる図面内の方向を指す。「内側」および「外側」などの類似の語は、装置または領域の幾何学的中心およびその指定された部分に、それぞれ向かう方向および離れる方向を指す。特記しない限り、単数形での言及は複数形を含み、逆もまた同様である。
【００１０】
前述したとおり、動物誘引剤、沈静剤、昆虫忌避剤、鎮痛剤、臭気制御剤および動物忌避剤などの特定の活性成分を含むことによって利益が得られるであろう、ベッド、噛んでよい玩具およびぬいぐるみを含む多数のペット製品が存在する。しかし、同じ製品は、その有効寿命を延ばすために洗濯されるはずであり、一旦洗濯されると、そこに含まれる活性成分は基本的に洗い流され、ペット製品は活性成分により創出される有用な貢献をしなくなる。驚くべきことに、これらの注入組成物を適切なゼオライトモレキュラーシーブ内に含めることによって、これらの注入組成物をペット製品内に維持し、制御された様式で拡散させることができることが判明した。
【００１１】
ゼオライトは、一般に、三次元開骨格中のケイ素、アルミニウムおよび酸素からなる。このような材料は、吸収剤としてかなりの期間使用され、工業分離および精製のために使用されてきた。アルミノシリケート骨格は負に帯電しており、ケージ内に存在する陽性陽イオンを引き付けて、その骨格の負電荷を相殺する。ゼオライトは、そのＳｉ／Ａｌ比に主として依存して親水性または疎水性であり得、そのゼオライト親水性特性は、ゼオライト骨格中のアルミニウム含有量が増加するにつれて増大し、逆もまた同様である。負に荷電したゼオライト骨格中の正に帯電した陽イオンの間に局在した静電ポールは、高い極性を有する分子を強く引きつけ、親水性構造をもたらす。
【００１２】
本明細書での使用に適切なゼオライトの選択は、注入組成物およびその担体の性質に依存する。例えば、キャットニップ油およびキャットニップヒドロゾルは、後者が親水性であり、ネコ科の興奮剤として作用するだけでなく、蚊の忌避剤としてＤＥＥＴよりも１０倍有効である。そのような物質はまた、イエバエ、ダニ（mite）およびダニ（tick）に対する潜在的な忌避剤としても作用する。従って、ペットベッドでのそれらの使用は明白な利点を提供する。しかし、既に指摘したとおり、キャットニップ油およびキャットニップヒドロゾルを含有するペットベッドは、ペット所有者がこれらの注入組成物を含むベッドを洗濯する場合には、基本的には選択の過程で洗い流されることになりもはや利用不可能となり、その有用な特性を限られた期間の間示すだけである。以下に説明する非限定的な例のいくつかにより示されるとおり、多くの場合、疎水性ゼオライトモレキュラーシーブが適切な選択となり得る。これは、疎水性キャットニップ油等の多くの提案した注入組成物が存在するだけでなく、本明細書での使用に適切な活性成分が、多くの場合、やはり疎水性であるキャリアオイル（carrier oil）と組み合わせて使用されるからである。
【００１３】
図１および図２を参照すると、その形状を画定する外殻材料２１と、チョップドメモリフォームまたはリサイクルポリエステル繊維などの緩衝充填材料２２とを含む、典型的なペット寝具製品が示されている。ペット関連の注入組成物を含有するゼオライトモレキュラーシーブ２３は、所望の特性を有するベッドを提供するために、外殻材料２１内に分散されている。
【００１４】
表１は、そのような寝具製品において、ノミ制御剤、臭気制御剤、および沈静化剤のために採用したいくつかの配合を列挙している：
【００１５】
【表１】
2018139585.tif 000003
【００１６】
当業者は、ペット関連の注入組成物が例えば親水性又は疎水性であるかどうかに応じて本発明に用いるためのゼオライトモレキュラーシーブを適切に選択することを理解するであろうが、適切なそのような疎水性ゼオライトモラキュラーシーブはＡＣＳ材料ＺＳＭ−５吸収剤として市販されている。調製においては、ゼオライトモレキュラーシーブは粉砕され、次にペレット化される。ペレット化は、ゼオライトのオープンネットワークを詰まらせる傾向があるバインダー（１又は複数）を含みうるので、バインダーなしにペレット化されうるゼオライトモレキュラーシーブを選択することが好ましい。ＺＳＭ−５吸収剤はそのような材料である。ひとたびペレット化されると、ペレットは、適切なペット関連の注入組成物中に浸漬され、後者の注入組成物はゼオライトモレキュラーシーブに吸収及び吸着の両方がされる。
【００１７】
先に言及したように、本発明を実施することによって追求する利点は、ペット関連の注入組成物の優れた特性を直ちに失うことなく繰り返し洗うことができるペット製品を作り出すことである。本発明なしでは、ペット用製品、例えば図１及び２のペット用ベッド、又は図３及び４のペット用玩具の一回の洗浄は、ペット関連の注入組成物の完全な喪失をもたらすだろうことが判明した。これと対照的に、本発明を実施すると、本発明が追及する利点は、繰り返し洗浄した後でさえ本質的に維持される。例示として、本明細書中で記述したペット用ベッドを、典型的な国内の洗濯機を使用し、その洗濯機の標準的な洗濯及び乾燥サイクルによって３回の洗濯を行った。ソックスレー抽出物のＧＣ／ＭＳ分析による測定の結果を以下に表す。
【００１８】
【表２】
2018139585.tif 000004
【００１９】
図３及び４に戻ると、ネズミのぬいぐるみの形態の典型的なペット用玩具３０が描かれている。ペット用玩具３０は、その形状を規定する外殻３１と、好適なペット関連の注入組成物を含んでいるゼオライトモレキュラーシーブ３３を有し、それが中に分散されている充填材料３２とによって規定される。ペット用ベッド１０の場合と同様に、ペット用玩具３０は、ペット関連の注入組成物として、動物誘引剤、沈静剤、防虫剤、殺虫剤、鎮痛剤、臭気抑制剤、及び動物忌避剤として作用する組成物を含むことができる。例えば、ニーム油は、ノミ及びダニ殺虫剤として用いることができ、なぜならそれは昆虫の生殖サイクルを邪魔するからである。ニーム油はまた、強力な抗真菌薬及び抗酸化剤でもある。キャットニップ油及びキャットニップヒドロゾルは猫用興奮剤として作用するだけでなく、蚊を忌避することにおいてＤＥＥＴの１０倍効果的である。これらの物質は、イエバエ、ダニ（mite）、及びダニ（tick）に対する強力な忌避剤としても作用する。ラベンダー油も、ノミ及びダニを退ける（忌避）ように作用し、また動物の中枢神経系を鎮静化させることにより不安を低減させることによって鎮静剤になりうる。ゼラニウム油は、抗真菌剤及び抗菌剤であり、また、沈静化特性も示す一方でダニを退ける。テキサスレッドシダーウッド油は、血液循環を高め、強力な天然の昆虫忌避剤として作用する。このような物質は、適切なキャリアオイル（carrier oil）、例えば、ヤシ油、スイートアーモンド油、及びホホバ油からなる群から選択されるキャリアオイルの中に組み込むことができる。
【００２０】
本発明をさらに特徴づけるため、及び本発明から得られるそれらの利点を確かめるために、追加の試験を行った。そのような試験の結果を以下の例に示す。
【実施例】
【００２１】
［実施例１］
ノミ及びダニ用注入ブレンド物を用いたゼオライトの洗濯能力試験
【００２２】
用量
ノミ及びダニ用注入ブレンド物を、13.3 mlのニーム油、3.4 mlのシダーウッド油、及び13.3 mlのキャットニップヒドロゾルを用いて作った。10 mlのこのノミ及びダニ用注入ブレンド油を用いて、8 gのゼオライトモレキュラーシーブを夜通し浸した。注入されたゼオライトの2 gのサンプルを、４個の繊維充填枕中に入れ、Ｗ０、Ｗ１、Ｗ２、及びＷ３とラベルを付けて、実際の犬用ベッドに似せた。
【００２３】
洗濯
上記サンプルを次に、Gain石鹸（Gain soap）を用い、温かい温度において30分間、通常のサイクルで洗濯した。各洗濯後、適当なサンプルを取り出した（Ｗ１、Ｗ２、及びＷ３）。最後に、それらのサンプルをとり、低温設定において乾燥するまで乾燥機中に置いた。各洗濯からのゼオライトを次に集め、抽出工程を開始するために砕いた
【００２４】
抽出
加熱マントル中の丸底フラスコ（これはその上に備え付けられたソックスレー抽出装置を備えている）にヘキサンを入れた。ガラスウールをソックスレーの内部に置き、先の粉砕したサンプルを次にソックスレー内に添加した。ソックスレーの上にコンデンサーを設置し、コンデンサーは氷浴に接続した入り口及び出口を備えている。真空装置及び加熱マントルのスイッチを入れて、操作を開始した。次にサンプルをヘキサンで2時間洗浄した。フィルターを備えたシリンジを用いてサンプルを濾過し、ヘキサンを蒸発させるために、真空装置に接続したフラスコに入れた。オイルが後に残った。ＧＣＭＳ分析のために、1 mlのヘキサンを添加してそのサンプルを希釈した。
【００２５】
ＧＣ／ＭＳ分析
1 mlのサンプル溶液をとり、5975 MSDを備えたHP 7890A GCで分析するためにバイアル瓶に入れた。
【００２６】
担体としてグラフェンモレキュラーシーブゼオライトを用いて、ゼオライト中のノミ、ダニ及び蚊用注入油中のヒドロゾルの非存在下で試験を行った。この試験は、単独のヒドロゾルが、ゼオライトと相互作用し、利用可能な活性成分の吸着及び３回の洗濯にわたるその維持を可能にするかを判定するために行った。
【００２７】
【表３】
2018139585.tif 000005
【００２８】
洗濯０から洗濯３までのニーム油とシダーウッド油の両方の低下は、一貫性のない低下を示している。水性ヒドロゾル又は用いたその他の２種のオイルとの相互作用に抵抗する用いられたゼオライトの疎水性（これが利用可能なヒドロゾル濃度をマスキングする）によって、キャットニップヒドロゾルが存在しない可能性がある。
【００２９】
キャットニップヒドロゾルのみ−ゼオライト担体、に対する洗濯能力試験結果
ノミ及びダニ用注入油の潜在的保持力を測定した。
【００３０】
【表４】
2018139585.tif 000006
【００３１】
３回洗濯後にゼオライト中に残ることについてのキャットニップ単独の能力は、ノミ、ダニ、及び蚊用注入用配合物中の他の成分のうちの１つが、前の試験においてヒドロゾルの不存在を引き起こしている可能性があることを示している。試験は、キャットニップヒドロゾル単独では、３回洗濯サイクル後にゼオライト中に残ることができると結論している。
【００３２】
［実施例２］
沈静注入ブレンド物試験手順を用いた、ゼオライトの洗濯能力試験
【００３３】
用量
ノミ及びダニ用注入ブレンド物を、15 mlのゼラニウム油及び15 mlのラベンダー油を用いて作った。10 mlの沈静用注入油を用いて、8 gのゼオライトモレキュラーシーブを夜通し浸した。注入されたゼオライトの2 gのサンプルを、４個の繊維充填枕中に入れ、Ｗ０、Ｗ１、Ｗ２、及びＷ３とラベルを付けて、実際の犬用ベッドに似せた。
【００３４】
洗濯
上記サンプルを次に、Gain石鹸（Gain soap）を用い、温かい温度において30分間、通常のサイクルで洗濯した。各洗濯後、適当なサンプルを取り出した（Ｗ１、Ｗ２、及びＷ３）。最後に、それらのサンプルをとり、低温設定において乾燥するまで乾燥機中に置いた。各洗濯からのゼオライトを次に集め、抽出工程を開始するために砕いた。
【００３５】
抽出
加熱マントル中の丸底フラスコ（これはその上に備え付けられたソックスレー抽出装置を備えている）にヘキサンを入れた。ガラスウールをソックスレーの内部に置き、先の粉砕したサンプルを次にソックスレー内に添加した。ソックスレーの上にコンデンサーを設置し、コンデンサーは氷浴に接続した入り口及び出口を備えている。真空装置及び加熱マントルのスイッチを入れて、操作を開始した。次にサンプルをヘキサンで2時間洗浄した。フィルターを備えたシリンジを用いてサンプルを濾過し、ヘキサンを蒸発させるために、真空装置に接続したフラスコに入れた。油が後に残った。ＧＣＭＳ分析のために、1 mlのヘキサンを添加してそのサンプルを希釈した。
【００３６】
ＧＣ／ＭＳ分析
1 mlのサンプル溶液をとり、5975 MSDを備えたHP 7890A GCで分析するためにバイアル瓶に入れた。
【００３７】
沈静化注入ブレンド物−ゼオライト担体に対する洗濯能力試験結果
担体としてグラフェンモレキュラーシーブゼオライトを用いて、キャリアオイルなしの沈静化注入ブレンド物（ＣＩＢ）について試験を行い、３回の洗濯後の成分の潜在的保持力を測定した。
【００３８】
【表５】
2018139585.tif 000007
【００３９】
示された保持率は、各エッセンシャルオイル50%の等量混合物における、キャリアオイルの助けなしでのそのオイルの特性である。キャリアオイルはその中に混合された希釈されたエッセンシャルオイルの揮発性を低下させて、それら全体としての保持率を増大させることが予測される。試験は、ゼラニウム油とラベンダー油が３回の洗濯サイクルを通じてゼオライト中に残ることができることを示している。
【００４０】
［実施例３］
キャリアオイル−ゼオライト担体を用いた沈静化注入ブレンド物についての洗濯能力試験結果
担体としてグラフェンモレキュラーシーブゼオライトを用いて、キャリアオイルを含むCIBである、0.6 mlのゼラニウム油、0.6 mlのラベンダー油、及び28.8 mlのアーモンド油について試験を行い、キャリアオイルがブレンド物中の成分の保持率に対して有しうる影響を決定した。
【００４１】
【表６】
2018139585.tif 000008
【００４２】
成分の保持率は、キャリアオイルなしのそれと同じ注入用オイルについて行った試験と比較して低下した。両方の配合物とも、３回の洗濯サイクルを通じて全く問題はなくゼオライト中に残っており、さらには、洗い流されることに対するラベンダー油及びゼラニウム油の抵抗力を示している。試験は、沈静化注入オイルは、１：１の混合において、キャリアオイルを添加した場合よりも大きな保持率を有すると結論している。
【００４３】
［実施例４］
ノミ及びダニ用注入ブレンド物を含むゼオライトの洗濯能力試験
【００４４】
用量
ノミ及びダニ用注入ブレンド物を、13.3 mlのニーム油、3.4 mlのシダーウッド油、及び13.3 mlのキャットニップヒドロゾルを用いて作った。10 mlのノミ及びダニ用注入オイルを用いて、8 gのゼオライトモレキュラーシーブを夜通し浸した。注入されたゼオライトの2 gのサンプルを、４個の繊維充填枕中に入れ、Ｗ０、Ｗ１、Ｗ２、及びＷ３とラベルを付けて、実際の犬用ベッドに似せた。
【００４５】
洗濯
上記サンプルを次に、Gain石鹸（Gain soap）を用い、温かい温度において30分間、通常のサイクルで洗濯した。各洗濯後、適当なサンプルを取り出した（Ｗ１、Ｗ２、及びＷ３）。最後に、それらのサンプルをとり、低温設定において乾燥するまで乾燥機中に置いた。各洗濯からのゼオライトを次に集め、抽出工程を開始するために砕いた。
【００４６】
抽出
加熱マントル中の丸底フラスコ（これはその上に備え付けられたソックスレー抽出装置を備えている）にヘキサンを入れた。ガラスウールをソックスレーの内部に置き、先の粉砕したサンプルを次にソックスレー内に添加した。ソックスレーの上にコンデンサーを設置し、コンデンサーは氷浴に接続した入り口及び出口を備えている。真空装置及び加熱マントルのスイッチを入れて、操作を開始した。次にサンプルをヘキサンで2時間洗浄した。フィルターを備えたシリンジを用いてサンプルを濾過し、ヘキサンを蒸発させるために、真空装置に接続したフラスコに入れた。オイルが後に残った。ＧＣＭＳ分析のために、1 mlのヘキサンを添加してそのサンプルを希釈した。
【００４７】
ＧＣ／ＭＳ分析
1 mlのサンプル溶液をとり、5975 MSDを備えたHP 7890A GCで分析するためにバイアル瓶に入れた。
【００４８】
キャットニップ油ゼオライト担体を用いて作ったノミ、ダニ、及び蚊用注入物に対する洗濯能力試験結果
担体としてグラフェンモレキュラーシーブゼオライトを用いて、キャットニップヒドロゾルに代えてキャットニップエッセンシャル油を用いて作ったノミ、ダニ、及び蚊用注入用オイルについて試験を行い、ゼオライトの疎水的性質及び先のFTM注入用配合物中の水性成分が、結果に影響を及ぼしたかどうかを決定した。
【００４９】
【表７】
2018139585.tif 000009
【００５０】
この試験混合物は、洗濯０〜３までいくらかの量の低下を明示しているが、有用なレベルが全てのサイクル後に保持されている。試験は、オイルをベースとするノミ及びダニ忌避配合物がグラフェンモレキュラーシーブゼオライト中に効果的に注入されることができ、３回の家庭での洗濯及び乾燥サイクルに耐えて減少に抵抗することを説明している。
【００５１】
好適なゼオライトモレキュラーシーブを含むペット用注入組成物をペット製品の内部に導入することは非常に多くの方法で実施されることができるけれども、ペット用ベッドの製造においてそのようにする便利な方法は、2016年8月17日に出願した本出願人の米国特許出願番号第15/239,393号に教示されており、その開示を参照により本明細書に援用する。具体的には、図５を参照すると、インジェクター40には、低摩擦管41と、実質的に円形の入口42が設けられており、ベッドの充填プロセス中にロフトファイバの搬送を妨害する長手方向軸に沿った障害物がない。インジェクター40はさらに、注入組成物を含有するゼオライトモレキュラーシーブなどの添加物の計量投入を可能にする。ペレットの形態のこのような添加剤は、ホッパー44内に配置されることによって導入され、それは次に開口部45を通っての加圧ガスの導入により、急速交換カムロックカップリング49においてインジェクター40の内部に導かれる。ホッパー44に導入された固体添加物を、インジェクター40を通過するロフト繊維中へと吐出するために、ベンチュリホール（図示せず）を使用することができる。
【００５２】
上記開示は、当業者が本発明を実施するのに十分であり、本発明者が現在考えている本発明の実施の最良の形態を提供するものである。 本明細書では、本発明の好ましい実施形態の十分かつ完全な開示が提供されているが、記載されたような正確な構成、寸法、関係または動作に本発明を限定することは望ましくない。 当業者であれば、様々な修正、代替構成、変更、均等物を容易に思い付くであろうし、本発明の真の精神と範囲から逸脱することなく適切に使用することができる。 そのような変更は、代替の材料、構成要素、構造的配置、サイズ、外形、形状、機能、操作上の特徴などを含むことができる。 したがって、上記の記載及び説明は、添付の特許請求の範囲によって規定される本発明の範囲を限定するものと見なされるべきではない。
【図１】
2018139585.tif 000010
【図２】
2018139585.tif 000011
【図３】
2018139585.tif 000012
【図４】
2018139585.tif 000013
【図５】
2018139585.tif 000014
【外国語明細書】
2018139585000001.pdf